(57)【特許請求の範囲】
【請求項１】
屋内の空間部に吊り張りするネットの上部両端側にそれぞれ連結した一対の移動用ロープを空間部の対向する位置に設置した移動用ウインチで近傍に設置した滑車を介して巻き取りネットの上端側を空間部上方に移動するとともに、該ネットの上端側に連結した吊り上げ用ロープを吊り上げ用ウインチで空間部上方に移動してネットを空間部に沿って吊り張りする屋内の空間部へのネットの吊り張り移動方法において、前記吊り上げ用ロープを前記移動用ロープと同様に対向する位置に設置した吊り上げ用ウインチよりそれぞれ空間部の上方に設置した滑車を介して引き出し移動してネットの上端側を筒状に形成して挿通された補強用ロープに少なくとも１個所直接又は連結用ロープを介して間接的に連結した後、前記移動用ロープの巻き取り移動に同期して吊り上げ用ロープを巻き取り移動することで、ネットの上部両端側及び上部側をそれぞれ二方向より段階的に引っ張り移動してネットを空間部上方に吊り張りすることを特徴とする屋内の空間部へのネットの吊り張り移動方法。
【請求項２】
屋内の空間部に吊り張りするネットと、該ネットの上部両端側にそれぞれ連結すべく滑車を介して設けられた移動用ロープと、該移動用ロープを引き出し移動及び巻き取り移動すべく対向する位置に設置する移動用ウインチと、前記ネットの上端部を吊り上げる吊り上げ用ロープと、該吊り上げ用ロープを引き出し移動及び巻き取り移動すべく対向する位置に設置する吊り上げ用ウインチから構成された屋内の空間部へのネットの吊り張り移動装置において、前記ネットの筒状に形成された上端側に補強用ロープが挿通され、且つ前記補強用ロープの両端側にそれぞれ移動用ロープが連結されるとともに、補強用ロープには二方向より吊り上げ用ロープが少なくとも１個所で直接又は連結用ロープを介して間接的に連結され、ネットの上端側を二方向より段階的に引っ張り移動すべく構成されていることを特徴とする屋内の空間部へのネットの吊り張り移動装置。
【発明の詳細な説明】
【技術分野】
【０００１】本発明は、屋内の空間部に防球用、又は間仕切り用として使用する屋内の空間部へのネットの吊り張り移動方法及び屋内の空間部へのネットの吊り張り移動装置に関する。
【技術の背景】
【０００２】従来、屋内空間部としての球技用等の練習施設、又は屋内の球技場においては、該空間部の上下方向、及び空間部の外周に沿って防球用のネットを吊り張りし、又は使用目的に応じて空間部を間仕切りすべく間仕切り用のネットを吊り張りしている。
【０００３】上記防球用等のネットの移動装置は、屋内の対向する側面に設置された一対の移動用ウインチと、該移動用ウインチより近傍に設置した滑車を介して引き出し移動及び巻き取り移動する移動用ロープと、空間部の天井側より吊り上げ用ウインチで引き出し移動及び巻き取り移動する吊り上げ用ロープと、前記移動用ロープを上部両端側に連結し、前記吊り上げ用ロープを上部側中央部分に連結したネットから構成されている。
【０００４】上記ネットの吊り張り装置を用いて屋内の空間部にネットを吊り張りする場合は、両移動用ウインチを駆動して滑車を介して移動用ロープを空間部の下方側にそれぞれ引き出し移動するとともに、天井側に設置した吊り上げ用ウインチを駆動して吊り上げ用ロープを下方側に引き出し移動した後、移動用ロープをネットの両端側にそれぞれ連結具を介して連結し吊り下げ用ロープをネットの上端側に連結する。そして、前記移動用ウインチ及び吊り上げ用ウインチを駆動して移動用ロープ及び吊り上げ用ロープを巻き取り移動することで、ネットの上端側を空間部の上方に移動し、さらに移動用ロープ及び吊り上げ用ロープを巻き取り移動することでネットの両端側を引っ張るとともにネットの上方側を引っ張ることで、ネットを空間部に吊り張りする。
【発明が解決しようとする課題】
【０００５】しかしながら、吊り上げ用ロープは天井側に設置した吊り上げ用ウインチより引き出し又は巻き取り移動するが、ネットを吊り張りする空間部の形状や構造により天井側に吊り上げ用ウインチを設置できない場合が多々ある。
【０００６】また、球技用等の空間部は天井が高く距離があり、天井側への吊り上げ用ウインチ又滑車の設置は高所での作業であるために作業が煩雑であり危険を伴う恐れがあった。
【０００７】また、ネットの上端側中央部を直接上方に吊り上げるので、ネットの荷重がかかり強い力を必要としウインチの大型化をまねき、天井部分への取り付けの危険を増す恐れがあった。
【０００８】そこで、本発明は天井側にウインチの設置スペースがない場合でも、吊り上げ用ロープを設置でき、また、高所での危険な作業を伴うことなく且つウインチの大型化を招くことなく安全な屋内の空間部へのネットの吊り張り移動方法及び屋内の空間部へのネットの吊り張り移動装置を提供することを課題とする。
【課題を解決するための手段】
【０００９】上記課題を解決する吊り張り移動方法は、請求項１に記載のように、屋内の空間部に吊り張りするネットの上部両端部にそれぞれ連結した一対の移動用ロープを空間部の対向する位置に設置した移動用ウインチで近傍に設置した滑車を介して巻き取りネットの上部側を空間部上方に移動するとともに該ネットの上端側に連結した吊り上げ用ロープを吊り上げ用ウインチで空間部上方に移動してネットを空間部に沿って吊り張りする屋内の空間部へのネットの吊り張り移動方法において、前記吊り上げ用ロープを前記移動用ロープと同様に対向する位置に設置した吊り上げ用ウインチよりそれぞれ空間部の上方に設置した滑車を介して引き出し移動して、ネットの上端側で筒状に形成して挿通された補強用ロープに少なくとも１個所直接又は連結用ロープを介して間接的に連結した後、前記移動用ロープの巻き取り移動に同期して吊り上げ用ロープを巻き取り移動することで、ネットの上部両端及び上部側をそれぞれ二方向より段階的に引っ張り移動してネットを空間部上方に吊り張りすることを特徴とする。
【００１０】上記課題を解決する吊り張り移動装置は、請求項２に記載のように、屋内の空間部に吊り張りするネットと、該ネットの上部両端側にそれぞれ連結すべく滑車を介して設けられた移動用ロープと、該移動用ロープを引き出し移動及び巻き取り移動すべく対向する位置に設置する移動用ウインチと、前記ネットの上端側を吊り上げる吊り上げ用ロープと、該吊り上げ用ロープを引き出し移動及び巻き取り移動すべく対向する位置に設置する吊り上げ用ウインチから構成された屋内の空間部へのネットの吊り張り移動装置において、前記ネットの筒状に形成された上端側に補強用ロープが挿通され、且つ前記補強用ロープの両端側にそれぞれ移動用ロープが連結されるとともに、補強用ロープには二方向より吊り上げ用ロープが少なくとも１個所で直接又は連結用ロープを介して間接的に連結され、ネットの上端側を二方向より段階的に引っ張り移動すべく構成されていることを特徴とする。
【発明の作用効果】
【００１１】次に、本発明の屋内の空間部へのネットの吊り張り移動方法及び屋内の空間部へのネットの吊り張り移動装置の作用効果について説明する。
【００１２】本発明の請求項１は、屋内の空間部の対向する位置に設置した移動用ウインチより該移動用ウインチの近傍に設置した滑車を介して移動用ロープをそれぞれ引き出し移動するとともに、同様に対向する位置に設置した吊り上げ用ウインチより空間部の上部に設置した滑車を介してそれぞれ引き出し移動する。
【００１３】その後、前記移動用ロープをそれぞれネットの上端側に筒状に形成して挿通された補強用ロープの両端部に連結し、前記吊り上げ用ロープをネットの上端側の前記補強用ロープにそれぞれ連結する。
【００１４】次に、前記移動用ウインチ及び吊り上げ用ウインチを再度駆動し移動用ロープでネットの上端側の補強用ロープを引っ張り移動するとともに吊り上げ用ロープでネットの上端側の補強用ロープを二方向より上方に引っ張り移動することで、ネットの上部側を空間部の上方に移動する。
【００１５】その後、上方に移動したネットの上部両端側をさらに移動用ロープで引っ張るとともに、吊り上げ用ロープでネットの上部側を二方向より上方に引っ張ることで空間部にネットを吊り張りする。
【００１６】さらに、移動用ロープでネットの上部両端側を引っ張ることでネットの吊り張りを微調整する。
【００１７】このように、ネット上部両端側及び上部側を二方向より引っ張ることでネットの荷重を分散しスムーズにネットを吊り張り移動することができる。
【００１８】また、吊り上げ用ロープでネットの上部側を二方向より引っ張り移動するために、移動用ロープによるネットの上部両端側の引っ張り移動が容易であり、段階的なネットの吊り張りの微調整が容易である。
【００１９】また、本願発明の請求項２は、屋内の空間部の対向する位置に設置し、移動用ロープを引き出し移動及び巻き取り移動する移動用ウインチと、移動用ロープの近傍に設置した滑車と、該移動用ウインチと同時に対向する位置に設置し、吊り上げ用ロープを引き出し移動及び巻き取り移動する吊り上げ用ウインチと、空間部の上方に設置した滑車を用いて、先ず移動用ウインチ及び吊り上げ用ウインチを駆動して、滑車を介して移動用ロープ及び吊り上げ用ロープを空間部にそれぞれ引き出し移動し、ネットの上端側に筒状に形成して挿通された補強用ロープの両端側に移動用ロープを連結し、ネットの上端側で前記補強用ロープに吊り上げ用ロープをそれぞれ連結する。
【００２０】次に、移動用ウインチ及び吊り上げ用ウインチを再度駆動して、移動用ロープ及び吊り上げ用ロープをそれぞれ二方向より巻き取り移動する。
【００２１】これにより、ネットの上部側を空間部の上方に移動した後、再度吊り上げ用ウインチ及び移動用ウインチを駆動し、ネットの上部両端側を移動用ロープで引っ張り、ネットの上部側を吊り上げ用ロープで引っ張ることでネットを吊り張りする。
【００２２】又は、ネットの上端側を吊り上げ用ロープで二方向より引っ張った状態で移動用ロープをさらに巻き取り移動してネットの吊り張りの微調整を行う。
【００２３】このように、ネットの上部両端側及び上部側をそれぞれロープで引っ張り移動することで、容易にネットを吊り張りすることができる。
【００２４】また、吊り上げ用ロープは、空間部の対向する位置に取り付けた吊り上げ用ウインチで引き出し移動及び巻き取り移動することで、その取り付けが容易であり、安全に作業することができる。
【００２５】また、ネットの上端側を二方向より引っ張り移動するためにネットの荷重を分散してスムーズに移動することができる。
【００２６】また、空間部の天井側にウインチの取り付け位置がない場合でも吊り上げ用ロープでネットを吊り張りすることがで、あらゆる空間部に対応することができる。
【発明を実施するための形態】
【００２７】本発明の屋内の空間部へのネットの吊り張り移動方法及び屋内の空間部へのネットの吊り張り移動装置について図面を用いて説明する。
【００２８】図１は本発明の屋内の空間部へのネットの吊り張り移動装置の一実施例を示す概略説明正面図であり、図２、図３は本発明の屋内の空間部へのネットの吊り張り移動装置を用いたネットの吊り張り移動を示す概略説明正面図であり、図４は本発明の屋内の空間部へのネットの吊り張り移動方法を示すフローチャートであり、図５、図６は本発明の屋内の空間部へのネットの吊り張り移動装置の他実施例を示す概略説明正面図である。
【００２８】本発明の屋内の空間部へのネットの吊り張り移動装置１は、空間部の対向する側面Ｓに設置する一対の移動用ウインチ２（巻き取り方式のウインチ、又はエンドレス方式のウインチと巻き取りリール）と、該移動用ウインチ２により引き出し移動及び巻き取り移動する移動用ロープ３と、前記移動用ウインチ２の近傍に取り付けられ前記移動用ロープ３を取り出し移動する滑車４Ａと、前記移動用ウインチ２の上部側に設置した一対の吊り上げ用ウインチ５（巻き取り方式のウインチ、又はエンドレス方式のウインチと巻き取りリール）と、該吊り上げ用ウインチ５により引き出し移動及び巻き取り移動する吊り上げ用ロープ６と、前記移動用ロープ３を上部両端側Ｒ１、Ｒ２に連結し、吊り上げ用ロープ６を上端側Ｒ３に連結するネット７から構成されている。
【００２９】前記吊り上げ用ウインチ５は、滑車４Ｂの位置を側面Ｓの上部側に取り付けることで、吊り上げ用ロープ６を上方より引き出し移動及び巻き取り移動することができる。
【００３０】尚、滑車４Ｂの空間部の側面への取り付けを移動溝又はレール（図示せず）の設けられた取付枠１２に取り付けることで、滑車４Ｂを上下方向に移動すべく構成することで吊り上げ用ロープ６の側面Ｓよりの取り出し位置を調整し、より適切な位置よりネット７を上方に引き上げることができる。
【００３１】これにより、吊り上げ用ウインチ５を空間部Ｋの天井側に取り付ける必要がなく、その取り付け作業が容易となる。
【００３２】前記ネット７は、上部側が筒状に形成された挿通部８と、該挿通部８に挿通した補強用ロープ９から構成させ、前記移動用ロープ３は連結具１０を介して補強用ロープ９の両端部に連結し、前記吊り上げ用ロープ６は補強用ロープ９の略中央部に連結具１０を介して連結される。
【００３３】尚、前記吊り上げ用ロープ６と補強用ロープ９との連結は前記略中央部に連結するのに限定されるものでなく、例えば、両吊り上げ用ロープ６の先端を連結し、補強用ロープ９に平行に位置し該吊り上げ用ロープ６と補強用ロープ９との間を連結用ロープ１１で連結することでネット７の上部側を吊り張りすることも可能である。
【００３４】本発明の屋内の空間部へのネットの吊り張り移動装置１は上記のように構成され、次に、屋内の空間部Ｋにネットの吊り張り移動装置１を用いて、ネット７を吊り張りする場合について説明する。
【００３５】先ず、空間部Ｋの対向する両側面Ｓにそれぞれ移動用ウインチ２を設置し、該移動用ウインチ２の上部近傍に滑車４Ａを設置し、次に前記移動用ウインチ２の上部側にそれぞれ吊り上げ用ウインチ５を設置し、両側面Ｓの上部側に滑車４Ｂを設置する。
【００３６】次に、移動用ウインチ２を駆動して滑車４Ａを介して移動用ロープ３を床面側に引き出し移動するとともに、吊り上げ用ウインチ５を駆動して滑車４Ｂを介して吊り上げ用ロープ６を床面側に引き出し移動する。
【００３７】その後、前記移動用ロープ３をそれぞれネット７の上部側の挿通部８に挿通した補強用ロープ９の両端側に連結具１０を介して連結することでネット７の上部両端側Ｒ１、Ｒ２を連結することができ、吊り上げ用ロープ６をそれぞれ補強用ロープ９の略中央部に連結具１０を介して連結することで、ネット７の略中央部Ｒ３を連結する。
【００３８】次に、前記移動用ウインチ２及び吊り上げ用ウインチ５を再度駆動して移動用ロープ３及び吊り上げ用ロープ６は滑車４Ａ，４Ｂを介して巻き取り移動する。
【００３９】これにより、ネット７の上部両端側Ｒ１、Ｒ２をそれぞれ移動用ロープ３で引っ張るとともに、ネット７の略中央部Ｒ３を二方向より吊り上げ用ロープ６で上方へ引っ張り、ネット７を空間部Ｋの上方に広げた状態で移動する。
【００４０】その後、ネット７の吊り張り状態に応じて、再度、滑車４Ａを介して移動用ロープ３巻き取り移動及び滑車４Ｂを介して吊り上げ用ロープ６を巻き取り移動する。
【００４１】これにより、ネット７の上部両端側Ｒ１、Ｒ２が移動用ロープ３で強く引っ張られ、またネット７の略中央部Ｒ３が吊り上げ用ロープ６で二方向より強く引っ張られることとなり、空間部Ｋにネット７を吊り張りする。
【００４２】その後、移動用ウインチ２を駆動して移動用ロープ３のみを巻き取り移動、又は吊り上げ用ウインチ５を駆動して吊り上げ用ロープ６のみを巻き取り移動、又は移動用ロープ３及び吊り上げ用ロープ６を巻き取り移動することで、ネット７の両端側Ｒ１、Ｒ２の引っ張りの微調整、略中央部Ｒ３を持ち上げ微調整を行う。
【００４３】このように、本発明の屋内の空間部へのネットの吊り張り装置１、ネット７の上部両端部Ｒ１、Ｒ２を移動用ロープ３で引っ張り移動及び略中央部Ｒ３を吊り上げ用ロープ６で引っ張ることで、ネット７を最適に吊り張り移動することができる。
【００４４】また、ネット７の略中央部Ｒ３はそれぞれ相違する二方向より吊り上げ用ロープ６で引っ張られているために、ネット７の荷重を分散して上方へスムーズに移動することができる。
【００４５】また、吊り上げ用ウインチ５は空間部Ｋの天井側ではなく側面側に設置するために、その設置が容易であり、安全に設置することができる。
【００４６】尚、上記実施例では、それぞれ連結具１０を介して吊り上げ用ロープ６をネット７の上部側の一箇所に連結したが、本発明において吊り上げ用ロープ６のネット７への連結はこれに限定されるものでなく、例えば、ネット７の上部側の二箇所にそれぞれ吊り上げ用ロープ６を連結してもよく、また、それぞれ吊り上げ用ロープ６の先端側を連結しネット７の上部側に平行に架け渡した後、該吊り上げ用ロープ６とネット７の上部側とを別体の連結ロープ１１で連結することでネット７を吊り張りすることができる。
【００４７】また、上記実施例では吊り上げ用ウインチ５と移動用ウインチ２とを別体として別々に設置したが、本発明においては、一台のウインチで巻き取り移動及び引き出し移動することも可能である。
【図面の簡単な説明】
【００４８】
【図１】本発明の屋内の空間部へのネットの吊り張り移動装置の一実施例を示す概略説明正面図
【図２】屋内の空間部へのネットの吊り張り移動装置を用いたネットの吊り張り移動を示す概略説明正面図
【図３】屋内の空間部へのネットの吊り張り移動装置を用いたネットの吊り張り移動を示す概略説明正面図
【図４】屋内の空間部へのネットの吊り張り移動方法を示すフロチャート
【図５】本発明の屋内の空間部へのネットの吊り張り移動装置の他実施例を示す概略説明正面図
【図６】本発明の屋内の空間部へのネットの吊り張り移動装置の他実施例を示す概略説明正面図
【符号の説明】
【００４９】１−屋内の空間部へのネットの吊り張り移動装置、２−移動用ウインチ、３−移動用ロープ、５−吊り上げ用ウインチ、６−吊り上げ用ロープ、７−ネット
【図１】
0005888603.tif 000002
【図２】
0005888603.tif 000003
【図３】
0005888603.tif 000004
【図４】
0005888603.tif 000005
【図５】
0005888603.tif 000006
【図６】
0005888603.tif 000007